(57)【要約】　　　（修正有）【課題】テープやのり等の接着剤を用いることなくベースに確実に固定することができ、廃棄の際には分別性に優れたシートおよびこのシートを用いた電子機器を提供する。【解決手段】電子機器１０の筺体５１に電気配線基板５２を取り付けるための連結手段５３を、シート１１に設けられているスリット１２に挿通してシート１１を固定する。このとき、スリット１２の幅は連結手段５３の厚さよりも小さいため、シート１１の復帰力により連結手段５３を把持することになる。なお、連結手段５３によりスリット１２の両側がめくり上げられると、スリット１２をさらに破断させようとする力が作用するが、スリット１２の両端に設けてある破断止め部分により破断を防止することができる。【選択図】　　　　図１
2004022695.tif 000002
【特許請求の範囲】
【請求項１】
ベースから立ち上がる連結手段に取り付けられ、前記ベース上に配置されるシートであって、
前記連結手段が貫通するスリットを有し、
前記スリットは、その幅が前記連結手段の厚みより小さく形成されているとともに、その両端に破断止めが形成されていることを特徴とするシート。
【請求項２】
前記破断止めは、応力集中部分のない形状をした開口またはスリット端部に作用する破断方向に対して傾いた破断止めスリットであることを特徴とする請求項１に記載のシート。
【請求項３】
前記シートと同じ材料であり前記連結手段に貫通される貫通シートを有する押え用シートが前記スリットとそのスリット近傍を含む範囲に重ねて配置されていることを特徴とする請求項１または２に記載のシート。
【請求項４】
ベースを有し、このベースから立ち上がる連結手段により電気配線基板を取り付けるとともに前記ベースと電気配線基板のとの間に配置されるシートを備えた電子機器であって、
前記シートは、幅が前記連結手段の厚みより小さく形成され、且つ両端に破断止めが形成されたスリットを有し、
前記スリットは、前記ベースから立ち上がるようにして前記連結手段に貫通されることを特徴とする電子機器。
【請求項５】
前記立ち上げられるスリットを係止可能とする突起が前記連結手段の側面に設けられていることを特徴とする請求項４に記載の電子機器。
【発明の詳細な説明】
【０００１】
【発明の属する技術分野】
この発明は、シートおよびこのシートを用いた電子機器に係り、シートを電子機器のベースに容易に取り付けでき、且つ固定できるとともに、廃棄時に容易に分別してリサイクルできるシートおよびこのシートを用いた電子機器に関するものである。
【０００２】
【従来の技術】
従来より、図１１に示すように、電子機器５０のフレームやボディ等の筺体５１に対して電気配線用基板５２を固定する際には、筺体５１に設けた連結手段である爪型状の切起し５３を用いている。すなわち、切起し５３には、基板５２を載せる段差５４および基板５２を固定するためのひねり部５５が設けられている。
一方、基板５２には、切起し５３のひねり部５５を貫通させるとともに、段差５４上に載置されるための矩形状の切欠き５６が設けられている。
【０００３】
従って、切起し５３のひねり部５５を基板５２の切欠き５６に挿入し、基板５２を切起し５３の段差５４に載せ、図１２に示すように、基板５２から上方に突出しているひねり部５５を約４５度〜９０度ひねって、ひねり部５５を基板５２の切欠き５６から突出させて基板５２を切起し５３上に固定する。
【０００４】
一方、図１１および図１２に示すように、筺体５１と基板５２との間には、両者を電気的に絶縁したり、熱や磁気等を目的に応じて遮断するために、紙、ＰＥＴ、樹脂、ファイバ等からなるシート５７が取り付けられている。
このシート５７は、基板５２を筺体５１に固定するために設けた切起し５３を利用して筺体５１に固定されている。このため、シート５７の所定位置には例えばＩ字形状に切断されたスリット５８（図１４参照）が設けられている。
【０００５】
従って、シート５７を筺体５１に取り付ける際には、前述したようにして基板５２を筺体５１に取り付ける前に、図１１および図１２に示すように、切起し５３をスリット５８の下方から上方へ通す。
これにより、図１３に示すように、切起し５３により曲げ上げられたスリット５８の両側部分５８ａの復帰力により切起し５３を挟んで、シート５７を固定する。あるいは、図１２に示すように、さらにシート５７と筺体５１との間に両面テープやのり等の接着手段５９を用いることによりシート５７の固定を行っている。
【０００６】
【発明が解決しようとする課題】
しかしながら、スリット５８を設けて切起し５３に固定してある場合にシート５７に力が作用して引っ張られると、図１４に示すように、スリット５８の端部５８ｂから破断６０が発生する。
【０００７】
このため、図１５（Ａ）に示されている破断６０が生じる前の状態と比較して、図１５（Ｂ）に示されるように破断６０が生じた後は、スリット５８の両側部分５８ａを切起し５３に押付ける復帰力が弱くなり、シート５７を切起し５３に対して固定できなくなるという問題がある。
また、筺体５１に振動が加わった場合に、スリット５８両側においてシート５７がバタついてしまうという問題がある。
【０００８】
さらに、スリット５８によりシート５７を切起し５３に固定するとともにテープやのり等の接着手段５９を用いてシート５７を直接筺体５１に貼り付けてある場合には、接着手段５９の材料費がかかってコストアップを招くという問題がある。
また、廃棄時に筺体５１からシート５７を剥がすのに手間がかかり煩わしいとともに、分別性が悪くリサイクルに適さないという問題がある。
【０００９】
本発明は、前述した問題点に鑑みてなされたものであり、その目的は、テープやのり等の接着剤を用いることなくベースに確実に固定することができ、廃棄の際には分別性に優れたシートおよびこのシートを用いた電子機器を提供することにある。
【００１０】
【課題を解決するための手段】
前述した目的を達成するために、本発明にかかるシートは、請求項１に記載したように、ベースから立ち上がる連結手段に取り付けられ、前記ベース上に配置されるシートであって、前記連結手段が貫通するスリットを有し、前記スリットは、その幅が前記連結手段の厚みより小さく形成されているとともに、その両端に破断止めが形成されていることを特徴としている。
【００１１】
ここで、シートの材料としては、紙、ＰＥＴ、樹脂、ファイバ等が挙げられるが、ベースと電気配線基板のとの間を遮断するものであればこれらに限られない。
なお、遮断とは、電気的遮断や、熱の遮断や、磁気の遮断等、電気機器の性質に応じて要求されるものを意味する。さらに、シートは、弾力性に富んだものを用いるのが好ましい。また、連結手段としては、筺体の一部を切断して基板を取り付ける側に折り曲げた切起しを考えることができる。
【００１２】
このように構成されたシートにおいては、電子機器の筺体に電気配線基板を取り付けるための連結手段を、シートに設けられているスリットに貫通する。スリットの幅は連結手段の厚さよりも小さいため、シートはスリットの両側において連結手段によりめくり上げられる。
このため、シートは平らな状態に戻ろうとして、この復帰力により連結手段を把持することになる。これにより、シートは連結手段に固定されることになる。
【００１３】
なお、連結手段によりスリットの両側がめくり上げられると、スリットをさらに破断させようとする力が作用するが、スリットの両端に設けてある破断止めにより破断を防止することができる。
これにより、シートを連結手段に確実に固定することができる。
【００１４】
また、本発明にかかるシートは、請求項２に記載したように、請求項１に記載したシートにおいて、前記破断止めは、応力集中部分のない形状をした開口またはスリット端部に作用する破断方向に対して傾いた破断止めスリットであることを特徴としている。
【００１５】
ここで、応力集中部分がない開口としては、円形や楕円形の開口が挙げられる。そのほか、全体矩形状であって、隅角部が丸みを帯びているもの等でもよい。また、スリット端部に作用する破断方向に対して傾いた破断止めスリットとしては、破断方向であるスリット直交方向に対して傾いている破断止めスリットを意味する。
【００１６】
従って、スリット端部に直線的に斜めに設けられた破断止めスリットや、スリットの端部から二股にＹ字状に設けられている破断止めスリット等が該当する。なお、スリットの一方の端部が丸い開口で、他方の端部がＹ字状の破断止めスリットとすることもできる。
【００１７】
このように構成されたシートは、連結手段がスリットを貫通する際にスリットの端部を広げようとするが、開口や破断方向に対して傾いた破断止めスリットによりスリットの破断を防止するので、スリットの両側のめくれ上がったシートが連結手段を把持して、シートを固定できる。
【００１８】
また、本発明にかかるシートは、請求項３に記載したように、請求項１または２に記載したシートにおいて、前記シートと同じ材料であり前記連結手段に貫通される貫通シートを有する押え用シートが前記スリットとそのスリット近傍を含む範囲に重ねて配置されていることを特徴としている。
【００１９】
このように構成されたシートでは、シートと同様のスリットが設けられている押え用シートをシートに重ねて連結手段を把持するので、確実にシートを固定できる。
また、シートと同じ材料の押え用シートを用いているので、廃棄の際の分別が容易である。
【００２０】
また、本発明にかかる電子機器は、請求項４に記載したように、ベースを有し、このベースから立ち上がる連結手段により電気配線基板を取り付けるとともに前記ベースと電気配線基板のとの間に配置されるシートを備えた電子機器であって、前記シートは、幅が前記連結手段の厚みより小さく形成され、且つ両端に破断止めが形成されたスリットを有し、前記スリットは、前記ベースから立ち上がるようにして前記連結手段に貫通されることを特徴としている。
【００２１】
ここで、シートの材料としては、紙、ＰＥＴ、樹脂、ファイバ等が挙げられるが、ベースと電気配線基板のとの間を遮断するものであればこれらに限られない。
なお、遮断とは、電気的遮断や、熱の遮断や、磁気の遮断等、電気機器の性質に応じて要求されるものを意味する。また、シートは、弾力性に富んだものを用いるのが好ましい。また、連結手段としては、筺体の一部を切断して基板を取り付ける側に曲げ上げた切起しを考えることができる。
【００２２】
このように構成された電子機器においては、電子機器の筺体に電気配線基板を取り付けるための連結手段を、シートに設けられているスリットに貫通する。スリットの幅は連結手段の厚さよりも小さいため、シートはスリットの両側において連結手段によりめくり上げられる。
このため、シートは平らな状態に戻ろうとして、この復帰力により連結手段を把持することになる。これにより、シートは連結手段に固定されることになる。
【００２３】
なお、連結手段によりスリットの両側がめくり上げられると、スリットをさらに破断させようとする力が作用するが、スリットの両端に設けてある破断止め部分により破断を防止できる。これにより、シートを連結手段に確実に固定できる。
【００２４】
そして、本発明にかかる電子機器は、請求項５に記載したように、前記連結手段の側面に前記スリットが係合可能な突起が設けられていることを特徴としている。
【００２５】
【発明の実施の形態】
以下、本発明に係るシートおよびこのシートを用いた電子機器の実施の形態を図面に基づいて詳細に説明する。なお、以下に説明する実施形態において、既に図１１ないし図１５において説明した部材等については、図中に同一符号あるいは相当符号を付すことにより説明を簡略化あるいは省略する。
【００２６】
図１および図２に示すように、本発明に係る実施形態である電子機器１０は、ベースとしての電子機器１０の筺体５１に設けられている連結手段としての切起し５３に、電気配線基板５２が取り付けられている。切起し５３には、その側面から突出する突起５３ａが設けられている。この突起５３ａは半抜きや絞り加工により形成されている。また、筺体５１と基板５２との間には、本発明に係るシート１１が設けられている。
シート１１は、紙、ＰＥＴ、樹脂、ファイバ等の絶縁性ある材料から構成され、所定位置にはスリット１２が設けられている。
【００２７】
スリット１２としては種々の形状が考えられるが、例えば図３に示すように、スリット１２の直線部分１２ａの幅ｔが切起し５３の厚みＴより小さく、且つ、スリット１２の直線部分１２ａの両端に破断止め部分として応力集中部分のない円形の開口１２ｂが設けられている。
なお、開口１２ｂの大きさは特に限定するものではないが、スリット１２の幅ｔに比して十分に大きなものであればよい。
【００２８】
このようなシート１１を筺体５１に取付けるには、筺体５１の上側からシート１１を被せるようにして切起し５３をスリット１２に通すと、スリット１２の幅ｔが切起し５３の厚さＴよりも小さいため、図４に示すように、スリット１２の両側のシート１１が切起し５３に沿ってめくれ上がる。
めくれ上がったシート１１ａは平らに戻ろうとして切起し５３を両側から挟むので、シート１１は切起し５３に固定される。この際、切起し５３の側面に設けられた突起５３ａにスリット１２の開口縁部が係止されるため、これによりめくり上がったシート１１ａによる復帰力が維持され、シート１１をより安定的に固定させることができる。
【００２９】
このとき、切起し５３はスリット１２を広げようとするが、スリット１２の両端には破断防止用の開口１２ｂが設けられているので、スリット１２は破断しない。このため、シート１１が切起し５３を挟む力が緩まず、確実に切起し５３を挟むので、シート１１は固定される。
【００３０】
以上、前述したシート１１によれば、テープやのり等の接着剤を用いることなく、シート１１を筺体５１に容易、且つ、確実に固定することができるとともに、別の材料を用いていないので、廃棄の際には容易に分別することができる。
また、前述したシート１１を用いた電子機器１０では、シート１１が確実に固定されているので、筺体５１が振動してもシート１１はばたつかない。
【００３１】
なお、本発明のシート１１およびこのシート１１を用いた電子機器１０は、前述した実施形態に限定されるものでなく、適宜な変形、改良等が可能である。
例えば、前述した実施形態では、スリット１２として図３に示したように、スリット１２の両端に円形の開口１２ｂを設けた場合について説明したが、このほか図５に示すように、直線部分１３ａの両端に矩形状の開口１３ｂが設けられたスリット１３とすることもできる。この場合には、矩形の開口１３ｂの四隅１３ｃは丸みを付けて、四隅に応力が集中しないようにすることが望ましい。
【００３２】
また、図６に示すように、直線部分１４ａの両端に、破断方向に対して傾いているＹ字状の破断止めスリット１４ｂを設けるようにしてもよい。
この場合には、図７（Ａ）に示すように、スリット１４の直線部分１４ａの長さが切起し５３の幅Ｗと同じにできる。
【００３３】
あるいは、図７（Ｂ）に示すように、両端の破断止めスリット１４ｂまで含んだ長さＬを切起し５３の幅Ｗと同じにできる。
この場合には、破断止めスリット１４ｂに挟まれた部分１４ｃのシート１１が、切起し５３の両端面５３ａを押さえることになるので、切起し５３の４面を押えることができ、一層しっかりとシート１１を固定できる。
【００３４】
また、図８に示すように、スリット１５の直線部分１５ａの両端に設ける破断止め部分である破断止めスリット１５ｂを直線部分１５ａの端部から１本のみ傾けて設けるようにしてもよい。
また、図９に示すように、スリット１６の直線部分１６ａの両端に設ける破断止めスリット１６ｂを互いに反対方向へ傾けるようにしてもよい。
また、図１０に示すように、スリット１２およびこのスリット１２の近傍を含む大きさで、且つ、シート１１と同じ材料の押え用シート１７をシート１１の上面に重ねて使用するも可能である。この場合には、切起し５３を挟む力が大きくなるので、一層確実にシート１１を固定できる。
【００３５】
【発明の効果】
以上、説明したように、本発明にかかるシートおよびこのシートを用いた電子機器によれば、電子機器の筺体に電気配線基板を取り付けるための連結手段を、シートに設けられているスリットに貫通することにより、容易、且つ、確実にシートをベースに固定できる。
このとき、連結手段によりスリットをさらに破断させようとする力が作用するが、スリットの両端に設けてある破断止め部分により破断を防止することができる。また、シートを固定するためにテープやのり等の接着手段を用いていないので、コストダウンを図ることができるとともに、廃棄の際の分別の必要がなく、リサイクル化を容易にすることができる。
【図面の簡単な説明】
【図１】本発明に係るシートおよびこのシートを用いた電子機器の実施形態を示す斜視図である。
【図２】図１中ＩＩ−ＩＩ位置における断面図である。
【図３】スリットの一例を示す平面図である。
【図４】シートが切起しを挟んで固定されている状態を示す断面図である。
【図５】スリットの別の例を示す平面図である。
【図６】スリットの別の例を示す平面図である。
【図７】（Ａ）は、図６に示したスリットにより切起しの２面を挟んでいる状態を示す斜視図であり、（Ｂ）は４面を挟んでいる状態を示す斜視図である。
【図８】スリットの別の例を示す平面図である。
【図９】スリットの別の例を示す平面図である。
【図１０】スリット部分に押え用シートを重ねて切起しを挟んだ態を示す断面図である。
【図１１】従来のシートおよびこのシートを用いた電子機器を示す斜視図である。
【図１２】図１１中ＸＩＩ−ＸＩＩ位置における断面図である。
【図１３】シートが切起しを挟んで固定されている状態を示す断面図である。
【図１４】スリットの端部に発生する破断の説明図である。
【図１５】（Ａ）は、従来のシートが切起しを挟んで固定されている状態を示す断面図であり、（Ｂ）は、破断後の問題点を示す断面図である。
【符号の説明】
１０　電子機器
１１　シート
１２、１３、１４、１５、１６　スリット
１２ｂ、１３ｂ　開口（破断止め部分）
１４ｂ、１５ｂ、１６ｂ　破断止めスリット（破断止め部分）
１７　押え用シート
５１　筺体（ベース）
５２　電気配線基板
５３　切起し（連結手段）
【図１】
2004022695.tif 000003
【図２】
2004022695.tif 000004
【図３】
2004022695.tif 000005
【図４】
2004022695.tif 000006
【図５】
2004022695.tif 000007
【図６】
2004022695.tif 000008
【図７】
2004022695.tif 000009
【図８】
2004022695.tif 000010
【図９】
2004022695.tif 000011
【図１０】
2004022695.tif 000012
【図１１】
2004022695.tif 000013
【図１２】
2004022695.tif 000014
【図１３】
2004022695.tif 000015
【図１４】
2004022695.tif 000016
【図１５】
2004022695.tif 000017